(57)【要約】【課題】家畜の子宮体内挿入用の外側パイプに対してチューブの送り出しが確実にでき且つ家畜の膣内や子宮内に外側パイプの先端部が残留することがない家畜の人工授精用カテーテルを提供すること。【解決手段】家畜の子宮体内挿入用の外側パイプ１の内部に、先端部にノズル２を有する可撓性のチューブ３を押出し自在に挿入して成り、ノズル２を含むチューブの先端側を外側パイプ１の先端から押し出した状態で、チューブ３の後端部側からノズル２に向かって精子又は卵子を送り出す形式の家畜用人工授精カテーテルにおいて、外側パイプ１の少なくとも先端部を弾性部材で構成し、前記弾性部材で構成された先端部に、通常閉で且つノズル２からの押圧力が作用したときに押し広げられる口部１２を予め形成してある。【選択図】図２
2005211190.tif 000002
【特許請求の範囲】
【請求項１】
家畜の子宮体内挿入用の外側パイプの内部に、先端部にノズル部を有する可撓性のチューブを押出し自在に挿入して成り、ノズル部を有するチューブの先端側を外側パイプの先端から押し出した状態で、チューブの後端部側からノズル部に向かって精子又は卵子を送り出す形式の家畜用人工授精カテーテルにおいて、外側パイプの少なくとも先端部を弾性部材で構成し、前記弾性部材で構成された先端部に、通常閉で且つノズル部からの押圧力が作用したときに押し広げられる口部を予め形成してあることを特徴とする家畜用人工授精カテーテル。
【請求項２】
口部は切り込みにより形成されていることを特徴とする請求項１記載の家畜用人工授精カテーテル。
【請求項３】
口部は外側パイプの先端に形成されていることを特徴とする請求項１又は２記載の家畜用人工授精カテーテル。
【発明の詳細な説明】
【技術分野】
【０００１】
この発明は、豚等の家畜（豚、牛、馬等）の人工受精用カテーテルに関するものである。
【背景技術】
【０００２】
従来より牧畜の分野においては、豚、牛、馬等を効率良く繁殖せしめるため、人工授精が広く採用されている。ところで、牧畜、特に豚への人工授精は、精液中の精子数が少なく、よって授精に際し精液の多量の注入が必要となることなどから受胎率が低いという問題があり、この問題を解決するため種々の人工授精用カテーテルが提案されている（例えば、特許文献１。）。
【０００３】
上記人工授精用カテーテルは、家畜の子宮体内挿入用の外側パイプの内部に、先端側にノズル部を有する可撓性のチューブを押出し自在に挿入して成り、ノズル部を有するチューブの先端側を外側パイプの先端から押し出した状態で、押送手段を介してチューブの後端部側からノズル部に向かって精子又は卵子を送り出すようにして構成されている。
【０００４】
ところで、従来の外側パイプは先端部を閉塞したものとしてあり、先端から少し離れた内周面に周溝を形成してその部分を薄肉としている。そして、チューブを外側パイプ内に挿入した状態において、前記チューブを外側パイプの先端に向かって押し込むと、薄肉部の一部が破れて、チューブが外側パイプの先端から送り出されるようにしてある。
【０００５】
しかしながら、上記のような形態でチューブが外側パイプの先端から送り出されるようなものであれば、場合によっては薄肉部全周で破れて外側パイプの先端部が完全に分離し、膣内や子宮内に先端部が残留するという極めて好ましくない事態が生じてしまう可能性がある。また、場合によっては薄肉部が全く破れず、チューブを送り出せないという問題が生じることもある。
【特許文献１】特開２００１−１７０２６
【発明の開示】
【発明が解決しようとする課題】
【０００６】
そこで、この発明では、家畜の子宮体内挿入用の外側パイプに対してチューブの送り出しが確実にでき且つ家畜の膣内や子宮内に外側パイプの先端部が残留することがない家畜の人工授精用カテーテルを提供することを課題とする。
【課題を解決するための手段】
【０００７】
（請求項１記載の発明）
この発明は、家畜の子宮体内挿入用の外側パイプの内部に、先端部にノズル部を有する可撓性のチューブを押出し自在に挿入して成り、ノズル部を有するチューブの先端側を外側パイプの先端から押し出した状態で、チューブの後端部側からノズル部に向かって精子又は卵子を送り出す形式の家畜用人工授精カテーテルにおいて、外側パイプの少なくとも先端部を弾性部材で構成し、前記弾性部材で構成された先端部に、通常閉で且つノズル部からの押圧力が作用したときに押し広げられる口部を予め形成してある。
【０００８】
（請求項２記載の発明）
この発明の家畜用人工授精カテーテルは、上記請求項１記載の発明に関し、口部は切り込みにより形成されている。
【０００９】
（請求項３記載の発明）
この発明の家畜用人工授精カテーテルは、上記請求項１又は２記載の発明に関し、口部は外側パイプの先端に形成されている。
【発明の効果】
【００１０】
この家畜用人工授精カテーテルでは、家畜の子宮体内挿入用の外側パイプに対してチューブの送り出しが確実にでき且つ家畜の膣内や子宮内に外側パイプの先端部が残留することがない。
【発明を実施するための最良の形態】
【００１１】
以下、この発明の実施例の家畜用人工授精カテーテルを実施するための最良の形態としての実施例について詳細に説明する。
【実施例１】
【００１２】
図１はこの発明の実施例１の家畜用人工授精カテーテルの正面図、図２は前記家畜用人工授精カテーテルを構成する子宮体内挿入用の外側パイプ１と先端部にノズル部２を有する可撓性のチューブ３の正面図、図３は前記外側パイプ１にチューブ３を挿入し、ノズル部２を有するチューブ３の先端側を外側パイプ１の先端から押し出した状態を示す正面図を示している。
【００１３】
（この家畜用人工授精カテーテルの構成について）
この家畜用人工授精カテーテルは豚用のものであり、図１に示すように、雌豚の子宮体内挿入用の外側パイプ１の内部に、先端部にノズル部２を有するチューブ３を押出し自在に挿入して成り、ノズル部２を有するチューブ３の先端側を外側パイプ１の先端から押し出した状態で、精液注入器４内の精液をチューブ３の後端部側からノズル部２に向かって送り出すようにするものである。
【００１４】
外側パイプ１は、図１〜図３に示すように、雄豚の性器を形どったウレタンゴム製（その他、シリコンゴム、軟質ＰＶＣ製等）の疑似性器部１０をパイプ部１１に連通接続して構成してあり、前記疑似性器部１０の先端部にパイプ長手方向に延びる切込１２ａを入れて予めチューブ３が押し出される口部１２を形成してある。
【００１５】
疑似性器部１０は、図１や図２に示すように先端先細の捩じれ形状となっており、上記口部１２が開いたときには、図３に示す如く外側パイプ１と連通する両端開放のパイプ状となるようにしてある。なお、この疑似性器部１０の口部１２は、ノズル部２からの押圧力が作用していないときには図２に示す如く密閉した状態となり、ノズル部２からの押圧力が作用した場合にのみ図３に示す如く開口するようになっている。したがって、子宮体内挿入時において疑似性器部１０の口部１２からのカテーテル内への雑菌や異物の侵入を防止でき、且つ精液注入時には押圧力で確実に開口でき安全である。
【００１６】
パイプ部１１は、テフロン（登録商標）やポリプロピレン等の半透明の樹脂により構成されており、先端に繋がれた疑似性器部１０が子宮内の所定深さにまで至る長さに設定してある。
【００１７】
ノズル部２は、図２や図３に示すように、先端部が球面となった先端閉塞の筒形状のものであり、その周面には１８０°間隔で小孔２０，２０を形成してある。なお、このノズル部２は、図２や図３に示すように、後端部側の筒孔２１と上記小孔２０，２０とが連通するようになっている。
【００１８】
チューブ３は、上記パイプ部１１の内径よりも小径に形成されて成る実質的に精液が通るところであり、その径はパイプ部１１内における押し込み及び引き出しがスムーズで行い得るように設定してある。なお、このチューブ３はテフロン（登録商標）、ＰＶＣ、オレフィン等の可撓性を有する半透明の中空ものとしてある。
【００１９】
精液注入器４は、図１に示すように、シリンダー４０と押し棒４１とから構成された所謂注射器形状のものであり、前記シリンダー４０の先端側をチューブ３の後端部と連通接続してある。
【００２０】
この家畜用人工授精カテーテルは上記のように構成されているから、シリンダー４０内に精液を貯留した状態において、押し棒４１を押し込むと、精液は上記したチューブ３内を通ってノズル部２の小孔２０，２０から排出されることになる。なお、この家畜用人工授精カテーテルはこの種のものと同様の態様で使用されるので、その説明は省略する。
【００２１】
（この家畜用人工授精カテーテルの優れた点について）
この家畜用人工授精カテーテルでは、雌豚の膣内に疑似性器部１０が奥になるように挿入し、外側パイプ１に挿入されているノズル部２を有するチューブ３が疑似性器部１０の先端から押し出されることとなるが、この際、予め形成されている口部１２がノズル部２により押圧されて開かれる態様で送り出されることになるので、従来のもののように雌豚の膣内や子宮内に外側パイプ１の疑似性器部１０から離脱した先端部分が残留することがない。
【００２２】
また、上記したように、ノズル部２を有するチューブ３は予め形成されている口部１２がノズル部２により押圧されて開かれる態様で送り出されるようになっているから、家畜の子宮体内挿入用の外側パイプ１に対してチューブ３の送り出しが確実にできる。
【実施例２】
【００２３】
この実施例２の家畜用人工授精カテーテルは、上記した実施例１とほぼ同様の構成であるが、疑似性器部１０の口部１２を形成するための切込み位置及び方向が相違している。      
【００２４】
つまり、この実施例２の家畜用人工授精カテーテルでは、図４に示すように口部１２は周面から長さ方向と直交する方向に切込み１２ａを入れるようにして形成している。
【実施例３】
【００２５】
この実施例３の家畜用人工授精カテーテルは、上記した実施例１とほぼ同様の構成であるが、疑似性器部１０の口部１２を形成するための切込み位置及び方向が相違している。      
【００２６】
つまり、この実施例３の家畜用人工授精カテーテルでは、図５に示すように、口部１２は周面から長さ方向に対して角度を付けて斜めに切込み１２ａを入れるようにして形成している。
【００２７】
（その他）
上記実施例のノズル部の形態に変えて、ノズル部２に設けた小孔２０を先端に１つのみ設けるようにしてもよいし、更には、図６に示すように、ノズル部２とチューブ３とを一体成形する形態を採ることもできる。
【００２８】
上記実施例では、家畜の子宮内に雄豚の精子を送り出すようにしているが、これに変えて卵子（授精卵）を送り出すようにしてもよい。
【図面の簡単な説明】
【００２９】
【図１】この発明の実施例１の家畜用人工授精カテーテルの正面図。
【図２】前記家畜用人工授精カテーテルを構成する子宮体内挿入用の外側パイプと先端部にノズル部を有する可撓性のチューブの正面図。
【図３】前記外側パイプにチューブを挿入し、ノズル部を含むチューブの先端側を外側パイプの先端から押し出した状態を示す正面図。
【図４】この発明の実施例２の家畜用人工授精カテーテルであって疑似性器部の口部を形成するための切込み位置及び方向が示す断面図。
【図５】この発明の実施例３の家畜用人工授精カテーテルであって疑似性器部の口部を形成するための切込み位置及び方向が示す断面図。
【図６】ノズル部を有するチューブの他の実施形態の断面図。
【符号の説明】
【００３０】
１      外側パイプ
２      ノズル部
３      チューブ
４      精液注入器
１０    疑似性器部
１１    パイプ部
１２    口部
１２ａ  切込み
２０    小孔
【図１】
2005211190.tif 000003
【図２】
2005211190.tif 000004
【図３】
2005211190.tif 000005
【図４】
2005211190.tif 000006
【図５】
2005211190.tif 000007
【図６】
2005211190.tif 000008